(57)【要約】  アクセス端末は、ワイヤレス受信機回路における電力を調整するように適応される。一例では、アクセス端末は、少なくとも１つのワイヤレス受信機回路との通信インターフェースを含む。通信インターフェースに結合された処理回路は、接続モードで動作する間、ある時間期間の間アクセス端末によってデータが受信されることが予想されないと判断することができる。ワイヤレス受信機回路の低雑音増幅器（ＬＮＡ）を含む、ワイヤレス受信機回路の１つまたは複数の構成要素は、そのような判断に応答して、その後、電源切断され得る（たとえば、パッシブ状態に設定され得る）。また、他の態様、実施形態、および特徴が請求され、説明される。
2016503973.tif 000002
【特許請求の範囲】
【請求項１】
受信機回路を含む通信インターフェースと、
記憶媒体と、
前記通信インターフェースと前記記憶媒体とに結合された処理回路であって、
接続モードで動作するとき、ある時間期間の間にデータが受信されることが予想されないと判断することと、
前記判断に応答して前記時間期間の少なくとも一部分の間に前記受信機回路の低雑音増幅器（ＬＮＡ）を電源切断することと
を行うように適応された処理回路と
を備える、アクセス端末。
【請求項２】
ある時間期間の間にデータが受信されることが予想されないと判断することを行うように適応された前記処理回路が、前記時間期間の間にデータが受信されることが予想されないことを示すインジケータを検出することを行うように適応された前記処理回路を備える、請求項１に記載のアクセス端末。
【請求項３】
前記インジケータが、スロット中にプリアンブルが受信されないことの検出を備える、請求項２に記載のアクセス端末。
【請求項４】
前記インジケータが、前記時間期間の間にデータが受信されることが予想されないという指示を含むダウンリンク制御情報（ＤＣＩ）メッセージを備える、請求項２に記載のアクセス端末。
【請求項５】
前記処理回路が、前記判断に応答して前記時間期間の間に１つまたは複数の他の受信機回路構成要素を電源切断することを行うようにさらに適応され、前記１つまたは複数の受信機回路構成要素が、少なくとも１つのフィルタと少なくとも１つのミキサとを備える１つまたは複数の受信機回路構成要素から選択される、請求項１に記載のアクセス端末。
【請求項６】
前記処理回路が、予想される送信の受信の前に前記低雑音増幅器（ＬＮＡ）あらかじめ定義された較正期間を電源投入することを行うようにさらに適応された、請求項１に記載のアクセス端末。
【請求項７】
前記処理回路が、前記低雑音増幅器（ＬＮＡ）を電源投入することと、前記低雑音増幅器（ＬＮＡ）が電源投入されたときに生じる効果を補償することとを行うようにさらに適応された、請求項１に記載のアクセス端末。
【請求項８】
アクセス端末において動作可能な方法であって、
受信されたワイヤレス通信について監視することと、
接続モードで動作するとき、ある時間期間の間にデータが受信されることが予想されないと判断することと、
前記判断に応答して前記時間期間の少なくとも一部分の間に受信機回路の低雑音増幅器（ＬＮＡ）をパッシブ状態に設定することと
を備える、方法。
【請求項９】
前記時間期間の間にデータが受信されることが予想されないと判断することが、スロット中にプリアンブルが受信されないと判断することを備える、請求項８に記載の方法。
【請求項１０】
前記時間期間の間にデータが受信されることが予想されないと判断することが、ダウンリンク制御情報（ＤＣＩ）メッセージから、前記時間期間の間にデータが受信されることが予想されないと判断することを備える、請求項８に記載の方法。
【請求項１１】
前記判断に応答して前記時間期間の間に前記受信機回路の１つまたは複数の他の構成要素をパッシブ状態に設定することをさらに備え、ここにおいて、前記１つまたは複数の他の構成要素が、少なくとも１つのフィルタと少なくとも１つのミキサとを備える構成要素のグループから選択された１つまたは複数の構成要素を含む、請求項８に記載の方法。
【請求項１２】
予想される送信のために前記低雑音増幅器（ＬＮＡ）をアクティブ状態に設定することをさらに備える、請求項８に記載の方法。
【請求項１３】
予想される送信のために前記低雑音増幅器（ＬＮＡ）をアクティブ状態に設定することが、前記予想される送信の前に前記低雑音増幅器（ＬＮＡ）を前記アクティブ状態所定の時間期間に設定することを備え、ここにおいて、前記所定の時間期間は、前記パッシブ状態から前記アクティブ状態に切り替わった後に前記低雑音増幅器（ＬＮＡ）を安定させるのを可能にするのに十分である、請求項１２に記載の方法。
【請求項１４】
予想される送信のために前記低雑音増幅器（ＬＮＡ）をアクティブ状態に設定することは、前記低雑音増幅器（ＬＮＡ）を前記パッシブ状態から前記アクティブ状態に切り替えることから生じる効果を補償するためのフィルタを採用することを備える、請求項１２に記載の方法。
【請求項１５】
受信されたワイヤレス通信について監視するための手段と、
接続モードで動作するとき、ある時間期間の間にデータが受信されることが予想されないと判断するための手段と、
前記判断に応答して前記時間期間の少なくとも一部分の間に受信機回路の低雑音増幅器（ＬＮＡ）をパッシブ状態に設定するための手段と
を備える、アクセス端末。
【請求項１６】
前記判断に応答して前記時間期間の間に前記受信機回路の１つまたは複数の他の構成要素をパッシブ状態に設定するための手段をさらに備え、ここにおいて、前記１つまたは複数の他の構成要素が、少なくとも１つのフィルタと少なくとも１つのミキサとを備える構成要素のグループから選択された１つまたは複数の構成要素を含む、請求項１５に記載のアクセス端末。
【請求項１７】
予想される送信のために前記低雑音増幅器（ＬＮＡ）を前記パッシブ状態からアクティブ状態に切り替えるための手段をさらに備える、請求項１５に記載のアクセス端末。
【請求項１８】
コンピュータに、
接続モードで、受信されたワイヤレス通信について監視することと、
ある時間期間の間にデータが受信されることが予想されないと判断することと、
前記判断に応答して前記時間期間の少なくとも一部分の間に前記接続モードにある間に、受信機回路の低雑音増幅器（ＬＮＡ）を電源切断することと
を行わせるためのプログラミングを備える、コンピュータ可読記憶媒体。
【請求項１９】
コンピュータに、前記時間期間の間にデータが受信されることが予想されないと判断することを行わせることが、コンピュータに、前記時間期間の間にデータが受信されることが予想されないことを示すインジケータを検出することを行わせることを備える、請求項１８に記載のコンピュータ可読記憶媒体。
【請求項２０】
コンピュータに、前記インジケータを検出することを行わせることが、コンピュータに、スロット中にプリアンブルが受信されないことを検出することを行わせることを備える、請求項１９に記載のコンピュータ可読記憶媒体。
【請求項２１】
コンピュータに、前記インジケータを検出することを行わせることが、コンピュータに、前記時間期間の間にデータが受信されることが予想されないという指示を含むダウンリンク制御情報（ＤＣＩ）メッセージを検出することを行わせることを備える、請求項１９に記載のコンピュータ可読記憶媒体。
【請求項２２】
コンピュータに、前記判断に応答して前記時間期間の間に少なくとも１つの他の受信機回路構成要素を電源切断することを行わせるためのプログラミングをさらに備え、ここにおいて、前記少なくとも１つの他の受信機回路構成要素が、少なくとも１つのフィルタと少なくとも１つのミキサとを備える受信機回路構成要素のグループから選択された１つまたは複数の構成要素を含む、請求項１８に記載のコンピュータ可読記憶媒体。
【請求項２３】
コンピュータに、予想される送信のために前記低雑音増幅器（ＬＮＡ）を電源投入することを行わせるためのプログラミングをさらに備える、請求項１８に記載のコンピュータ可読記憶媒体。
【請求項２４】
コンピュータに、予想される送信のために前記低雑音増幅器（ＬＮＡ）を電源投入することを行わせることが、コンピュータに、前記予想される送信の前に前記低雑音増幅器（ＬＮＡ）所定の時間期間を電源投入することを行わせることを備える、請求項２３に記載のコンピュータ可読記憶媒体。
【請求項２５】
コンピュータに、予想される送信のために前記低雑音増幅器（ＬＮＡ）を電源投入することを行わせることが、コンピュータに、前記低雑音増幅器（ＬＮＡ）を電源投入することと、前記低雑音増幅器（ＬＮＡ）が電源投入されたときに生じる効果を補償することとを行わせることを備える、請求項２３に記載のコンピュータ可読記憶媒体。
【請求項２６】
ワイヤレス通信信号を受信するように構成されたアンテナと、
前記アンテナに動作可能に結合されたプロセッサと、前記プロセッサは、ある時間期間の間に将来の信号中にデータが存在することが予想されることを示すインジケータの存在を判断するために受信されたワイヤレス通信信号を分析するように構成され、前記分析に基づいて、前記プロセッサは、前記インジケータの存在が検出されたとき、電力節約ワイヤレス通信デバイス中に存在する１つまたは複数の構成要素を電源切断するようにさらに構成された、
を備える、電力節約ワイヤレス通信デバイス。
【請求項２７】
前記プロセッサは、動作電力パラメータがメモリに記憶され得るように、前記１つまたは複数の構成要素を電源切断する前に前記電力パラメータを取得するようにさらに構成された、請求項２６に記載のデバイス。
【請求項２８】
前記プロセッサは、前記インジケータがプリアンブル部分中に存在するかどうかを判断するために、ワイヤレス信号の前記プリアンブルを分析する、請求項２６に記載のデバイス。
【請求項２９】
前記プロセッサは、前記プロセッサが将来のワイヤレス信号中にデータを予想するとき、較正期間中に前記１つまたは複数の電源切断済み構成要素を電源投入するようにさらに構成された、請求項２６に記載のデバイス。
【請求項３０】
前記較正期間が所定の時間量に設定される、請求項２９に記載のデバイス。
【発明の詳細な説明】
【技術分野】
【０００１】
[0001]以下で議論される本発明の実施形態は、一般にワイヤレス通信に関し、より詳細には、通信デバイスにおいて電力節約を可能にするためのデバイスと、システムと、方法とに関する。
【背景技術】
【０００２】
[0002]ワイヤレス通信システムは、音声、ビデオ、パケットデータ、メッセージング、ブロードキャストなど、様々なタイプの通信コンテンツを提供するために広く展開されている。これらのシステムは、ワイヤレス通信を容易にするように適応された様々なタイプのデバイスによってアクセスされ得、複数のデバイスが、利用可能なシステムリソース（たとえば、時間、周波数、および電力）を共有する。そのようなワイヤレス通信システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]１つまたは複数のワイヤレス通信システムにアクセスするように適応されたアクセス端末が、ますます普及しつつあり、消費者は、アクセス端末上で動作する電力集約的アプリケーションをしばしば使用する。アクセス端末は一般にバッテリー電源式であり、充電の間にバッテリーが供給することができる電力量は、概して、限られている。したがって、電力効率的なデバイスを与えることが望ましい。
【発明の概要】
【０００４】
[0004]以下で、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を簡略化された形で提示することである。
【０００５】
[0005]いくつかの例では、バッテリーを再充電する間のアクセス端末の動作寿命を延長するのを支援し得る特徴が有益であり得る。本開示の様々な特徴および態様は、ワイヤレス受信機回路中の１つまたは複数の構成要素の電力を調整することによって電力節約を容易にするように適応される。本開示の少なくとも１つの態様によれば、アクセス端末は、受信機回路との通信インターフェースを含み得る。また、含まれる記憶媒体も含まれ得る。処理回路は、通信インターフェースと記憶媒体とに結合され得る。処理回路は、接続モードで動作するとき、ある時間期間の間にデータが受信されることが予想されないと判断するように適応され得る。そのような判断に応答して、受信機回路の低雑音増幅器（ＬＮＡ：low noise amplifier）は、その時間期間の少なくとも一部分の間に電源切断され得る。
【０００６】
[0006]さらなる態様は、アクセス端末上で動作可能な方法、および／またはそのような方法を実行するための手段を含むアクセス端末を提供する。そのような方法の１つまたは複数の例としては、受信されたワイヤレス通信について監視することがあり得る。アクセス端末が接続モードで動作する間に、ある時間期間の間にデータが受信されることが予想されないとの判断がなされ得る。そのような判断に応答して、受信機回路の低雑音増幅器（ＬＮＡ）は、その時間期間の少なくとも一部分の間にパッシブ状態に設定され得る。
【０００７】
[0007]またさらなる態様は、アクセス端末などのコンピュータ上で動作可能なプログラミングを備えるコンピュータ可読記憶媒体を含む。１つまたは複数の例によれば、そのようなプログラミングは、接続モードで、受信されたワイヤレス通信について監視することをコンピュータに行わせるように適応され得る。プログラミングは、ある時間期間の間にデータが受信されることが予想されないと判断することをコンピュータに行わせるようにさらに適応され得る。プログラミングはまた、判断に応答してその時間期間の少なくとも一部分の間に、接続モードにある間に、受信機回路の低雑音増幅器（ＬＮＡ）を電源切断することをコンピュータに行わせるようにさらに適応され得る。
【０００８】
[0008]他の実施形態はまた、電力節約ワイヤレス通信デバイスを対象とし得る。そのようなデバイスは、概して、アンテナとプロセッサとを備え得る。アンテナは、ワイヤレス通信信号を受信するように構成され得る。プロセッサは、アンテナに動作可能に結合され得る。プロセッサは、ある時間期間の間に将来の信号中にデータが存在することが予想されることを示すインジケータの存在を判断するために受信されたワイヤレス通信信号を分析するように構成され得る。また、分析に基づいて、プロセッサは、インジケータの存在が検出されたとき、電力節約ワイヤレス通信デバイス中に存在する１つまたは複数の構成要素を電源切断するようにさらに構成され得る。
【０００９】
[0009]本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１０】
【図１】[0010]本開示の１つまたは複数の態様が適用例を見つけ得るネットワーク環境の少なくとも１つの例を示すブロック図。
【図２】[0011]少なくとも１つの例による、アクセス端末の選択構成要素を示すブロック図。
【図３】[0012]いくつかの実施形態による、図２の受信機回路と処理回路との選択構成要素を示すブロック図。
【図４】[0013]ＥＶＤＯ通信システムの少なくとも１つの例において、データチャネル、パイロットチャネル、および制御（ＭＡＣ）チャネルがどのように時分割多重化されるのかを示すスロットフォーマットのブロック図。
【図５】[0014]いくつかの実施形態による、ＥＶＤＯスロットとの関係で、低雑音増幅器（ＬＮＡ）のアクティブ状態とパッシブ状態との間の状態を示すブロック図。
【図６】[0015]少なくとも１つの実装形態による、アクセス端末上で動作可能な方法を示す流れ図。
【図７】[0016]いくつかの実施形態による、図６中の判断するステップに関連するプロセスの少なくとも１つの例を示す流れ図。
【図８】[0017]いくつかの実施形態による、図６中の判断するステップに関連するプロセスの少なくとも１つの他の例を示す流れ図。
【発明を実施するための形態】
【００１１】
[0018]添付の図面に関して以下に示す説明は、様々な構成を説明するものであり、本明細書で説明する概念および特徴が実施され得る唯一の構成を表すものではない。発明を実施するための形態は、様々な概念を完全に理解するための具体的な説明を含む。ただし、これらの概念はこれらの具体的な詳細なしに実施され得ることが当業者には明らかであろう。いくつかの例では、説明される概念および特徴を不明瞭にしないように、よく知られている回路、構造、技法、および構成要素をブロック図の形式で示す。
【００１２】
[0019]本開示全体にわたって提示する様々な概念は、幅広い様々な電気通信システム、ネットワークアーキテクチャ、および通信規格にわたって実施され得る。本説明のいくつかの態様について、第３世代パートナーシッププロジェクト２（３ＧＰＰ２：3rd Generation Partnership Project 2）ＥＶＤＯプロトコルおよびシステムに関して以下で説明し、関係する用語が、以下の説明の大部分において見つけられ得る。しかしながら、本開示の１つまたは複数の態様が、１つまたは複数の他のワイヤレス通信プロトコルおよびシステムにおいて採用され、それらの中に含まれ得ることを、当業者は認識されよう。
【００１３】
[0020]本開示の少なくとも１つの態様によれば、１つまたは複数の構成要素への電力を調整することによって電力節約を容易にするように適応された通信デバイスが提供される。図１は、本開示の１つまたは複数の態様が適用例を見つけ得るネットワーク環境のブロック図である。ワイヤレス通信システム１００は、基地局１０２とアクセス端末１０４とを含む複数のワイヤレス通信デバイス間のワイヤレス通信を容易にするように適応される。ワイヤレス通信システム１００は、さらに、１つまたは複数の基地局コントローラ（ＢＳＣ）１０６と、（たとえば、モバイル交換センター／ビジターロケーションレジスタ（ＭＳＣ／ＶＬＲ）を介して）公衆交換電話網（ＰＳＴＮ）および／または（たとえば、パケットデータ交換ノード（ＰＤＳＮ）を介して）ＩＰネットワークへのアクセスを提供するコアネットワーク１０８とを含むことができる。
【００１４】
[0021]ワイヤレス通信デバイス（たとえば、基地局１０２およびアクセス端末１０４）は、ワイヤレス信号を介して互いに対話するように適応され得る。いくつかの事例では、そのようなワイヤレス対話被変調信号は、１つまたは複数のキャリア上で送信した。各被変調信号は、ＣＤＭＡ信号、ＴＤＭＡ信号、ＯＦＤＭＡ信号、シングルキャリア周波数分割多元接続（ＳＣ−ＦＤＭＡ）信号などであり得る。各被変調信号は、制御情報（たとえば、パイロット信号）、オーバーヘッド情報、データなどを搬送し得る。
【００１５】
[0022]基地局１０２は、基地局アンテナを介してアクセス端末１０４とワイヤレス通信することができる。基地局１０２はそれぞれ、概して、（１つまたは複数のアクセス端末１０４のための）ワイヤレス通信システム１００へのワイヤレス接続性を容易にするように適応されたデバイスとして実装され得る。基地局１０２は、当業者によって、アクセスポイント、送受信基地局（ＢＴＳ）、無線基地局、無線トランシーバ、トランシーバ機能、基本サービスセット（ＢＳＳ）、拡張サービスセット（ＥＳＳ）、ノードＢ、フェムトセル、ピコセル、および／または何らかの他の好適な用語で呼ばれることもある。
【００１６】
[0023]基地局１０２は、基地局コントローラ１０６の制御下でアクセス端末１０４と通信するように構成される。基地局１０２の各々は、それぞれの地理的エリアに通信カバレージを与えることができる。各基地局１０２のためのカバレージエリア１１０は、ここでは、セル１１０−ａ、１１０−ｂ、または１１０−ｃとして識別される。基地局１０２のためのカバレージエリア１１０は、（図示しないが、カバレージエリアの一部分のみを構成する）セクタに分割され得る。システム１００は、異なるタイプの基地局１０２（たとえば、マクロ基地局、マイクロ基地局、および／またはピコ基地局）を含み得る。
【００１７】
[0024]アクセス端末１０４は、カバレージエリア１１０全体にわたって分散され得、それぞれの各基地局１０２に関連する１つまたは複数のセクタとワイヤレス通信し得る。アクセス端末１０４は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、エンターテインメントデバイス、テレビジョン、コンピュータ／コンピューティングデバイス、ユーザエージェント、モバイルクライアント、クライアント、または何らかの他の好適な用語で呼ばれることもある。アクセス端末１０４の例としては、モバイルフォン、ページャ、ワイヤレスモデム、携帯情報端末、個人情報マネージャ（ＰＩＭ）、パーソナルメディアプレーヤ、パームトップコンピュータ、ラップトップコンピュータ、タブレットコンピュータ、テレビジョン、アプライアンス、電子リーダー、デジタルビデオレコーダ（ＤＶＲ）、マシンツーマシン（Ｍ２Ｍ）対応デバイス、および／または少なくとも部分的にワイヤレスまたはセルラーネットワークを介して通信する他の通信／コンピューティングデバイスがある。
【００１８】
[0025]アクセス端末１０４は、ワイヤレス通信システム１００内で動作する間に様々な動作状態を採用し得る。たとえば、アクセス端末１０４は、システム内でのそれの現在のアクティビティに従って接続（またはアクティブ）状態または休止（またはアイドル）状態で動作することが可能であり得る。接続（またはアクティブ）状態は、アクセス端末１０４と基地局１０２との間で物理トラフィックチャネルがアクティブに採用された状態を含むことができる。接続状態では、アクセス端末１０４および基地局１０２は、任意の他のデバイスにデータを送り得る。休止（またはアイドル）状態は、アクセス端末１０４と基地局１０２との間にアクティブな物理トラフィックチャネルセットアップがない状態を指す。いくつかのシナリオでは、アイドル状態にある間に、コアネットワーク１０８においてアクセス端末１０４とパケットデータ交換ノード（ＰＤＳＮ）との間のＰＰＰリンクが維持され得る。また、いくつかのシナリオでは、休止状態にある間に、アクセス端末１０４は、電力を節約するために従来の間欠受信（ＤＲＸ）モードで動作し得る。
【００１９】
[0026]本開示の少なくとも１つの態様によれば、アクセス端末１０４は、接続（またはアクティブ）状態で動作する間、ある時間期間の間にデータが受信されることが予想されないとき、１つまたは複数の構成要素への電力を調整するように構成され得る。図２を参照すると、少なくとも１つの例による、アクセス端末２００の選択構成要素を示すブロック図が示されている。図示のように、アクセス端末２００は、概して、記憶媒体２０４と通信インターフェース２０６とに結合された、またはそれらと電気通信させられた処理回路２０２を含む。
【００２０】
[0027]処理回路２０２は、データを取得し、処理しおよび／または送り、データアクセスおよび記憶を制御し、コマンドを発行し、他の所望の動作を制御するように構成される。処理回路２０２は、少なくとも１つの例において適切な媒体によって与えられた所望のプログラミングを実装するように適応された回路を含み得る。たとえば、処理回路２０２は、１つまたは複数のプロセッサ、１つまたは複数のコントローラ、および／または実行可能プログラミングを実行するように構成された他の構造として実装され得る。処理回路２０２の例は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明する機能を実行するように設計されたそれらの任意の組合せを含み得る。汎用プロセッサは、マイクロプロセッサ、ならびに任意の従来のプロセッサ、コントローラ、マイクロコントローラ、または状態機械を含み得る。処理回路２０２はまた、ＤＳＰとマイクロプロセッサとの組合せ、いくつかのマイクロプロセッサ、ＤＳＰコアと連携する１つまたは複数のマイクロプロセッサ、ＡＳＩＣとマイクロプロセッサ、あるいは任意の他の数の様々な構成など、コンピューティング構成要素の組合せとして実装され得る。処理回路２０２のこれらの例は説明のためであり、本開示の範囲内の他の好適な構成も企図される。
【００２１】
[0028]処理回路２０２は、記憶媒体２０４に記憶され得るプログラミングの実行を含む処理に適応される。本明細書において使われるように、「プログラミング」という用語は、ソフトウェア、ファームウェア、ミドルウェア、マイクロコード、ハードウェア記述言語などの名称にかかわらず、命令、命令セット、データ、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを限定なしで含むと広く解釈されたい。
【００２２】
[0029]記憶媒体２０４は、プロセッサ実行可能コードまたは命令（たとえば、ソフトウェア、ファームウェア）などのプログラミング、電子データ、データベース、あるいは他のデジタル情報を記憶するための１つまたは複数のコンピュータ可読、機械可読、および／またはプロセッサ可読デバイスを表し得る。記憶媒体２０４はまた、プログラミングを実行するときに、処理回路２０２によって操作されるデータを記憶するために使用され得る。記憶媒体２０４は、プログラミングを記憶し、含有および／または搬送する ことが可能な、ポータブルまたは固定ストレージデバイス、光ストレージデバイス、および様々な他の媒体を含む、汎用または専用プロセッサによってアクセスされ得る任意の利用可能な媒体であり得る。限定ではなく例として、記憶媒体２０４は、磁気ストレージデバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、および／またはプログラミングを記憶するための他の媒体などのコンピュータ可読、機械可読および／またはプロセッサ可読記憶媒体、ならびに任意のそれらの組合せを含み得る。
【００２３】
[0030]記憶媒体２０４は、処理回路２０２が記憶媒体２０４から情報を読み取り、記憶媒体２０４に情報を書き込むことができるように処理回路２０２に結合され得る。すなわち、記憶媒体２０４は、記憶媒体２０４が少なくとも処理回路２０２によってアクセス可能であるように処理回路２０２に結合され得、記憶媒体２０４が処理回路２０２と一体である例、および／または記憶媒体２０４が処理回路２０２とは別個である（たとえば、アクセス端末２００に常駐する、アクセス端末２００の外部にある、および／または複数のエンティティ上に分散される）例を含む。
【００２４】
[0031]記憶媒体２０４によって記憶されたプログラミングは、処理回路２０２によって実行されたとき、本明細書で説明する様々な機能および／またはプロセスステップのうちの１つまたは複数を処理回路２０２に実行させる。たとえば、記憶媒体２０４は電力調整動作２０８を含み得る。電力調整動作２０８は、受信機回路２１０の１つまたは複数の構成要素への電力を調整するために、処理回路２０２（たとえば、図３中の電力調整モジュール３１０）によって実施され得る。したがって、本開示の１つまたは複数の態様によれば、処理回路２０２は、本明細書で説明するアクセス端末（たとえば、アクセス端末１０４および／または２００）のいずれかまたはすべてについてのプロセス、機能、ステップおよび／またはルーチンのいずれかまたはすべてを（記憶媒体２０４と併せて）実行するように適応される。本明細書で使用する、処理回路２０２に関する「適応される」という用語は、本明細書で説明する様々な特徴に従って、処理回路２０２が、特定のプロセス、機能、ステップおよび／またはルーチンを実行するように構成、採用、実装、および／またはプログラムされることのうちの１つまたは複数を指すことがある。
【００２５】
[0032]通信インターフェース２０６は、アクセス端末２００のワイヤレス通信を容易にするようにコンフィギュアードできる。たとえば、通信インターフェース２０６は、１つまたは複数のネットワークエンティティへの双方向の情報の通信を容易にするように適応された回路および／またはプログラミングを含むことができる。図示のように、通信インターフェース２０６は、少なくとも１つの受信機回路２１０（たとえば、１つまたは複数の受信機チェーン）および／または少なくとも１つの送信機回路２１２（たとえば、１つまたは複数の送信機チェーン）を含むワイヤレストランシーバ回路を含む。図３は、受信機回路２１０と処理回路２０２との選択構成要素を示すブロック図である。図示のように、受信機回路２１０は、１つまたは複数のアンテナ３０２に結合され得る。図示された例では、１つまたは複数のアンテナ３０２は、受信機回路２１０の低雑音増幅器（ＬＮＡ）３０４に結合され得る。受信機回路２１０は、１つまたは複数のフィルタ３０６、ならびに、低雑音増幅器（ＬＮＡ）３０４の下流に位置する１つまたは複数のミキサ３０８をさらに含み得る。
【００２６】
[0033]受信機回路２１０は、受信機回路２１０からの出力が処理回路２０２に搬送され得るように処理回路２０２に結合され得る。受信された信号は、従来の処理に従って、あるいは必要に応じて処理され得る。少なくとも１つの態様に従って、処理回路２０２はまた、低雑音増幅器（ＬＮＡ）３０４への電力を調整する形で低雑音増幅器（ＬＮＡ）３０４と結合され得る。限定ではなく例として、処理回路２０２は、自動利得制御（ＡＧＣ）構成と同様の形で低雑音増幅器（ＬＮＡ）３０４と結合され得る。いくつかの事例では、図３には示していないが、処理回路２０２は、同様に、これらの構成要素への電力を制御するために１つまたは複数のフィルタ３０６と１つまたは複数のミキサ３０８とに結合され得る。処理回路２０２は、低雑音増幅器（ＬＮＡ）３０４、１つもしくは複数のフィルタ３０６および／または１つもしくは複数のミキサ３０８への電力を調整するように適応された回路および／またはプログラミング（たとえば、図２中の電力調整動作２０８）を含む電力調整モジュール３１０を含み得る。
【００２７】
[0034]アクセス端末２００が接続（またはアクティブ）状態で動作するとき、アクセス端末２００は、エアインターフェースを介して通信されるパケットに編成された２値ビットをワイヤレスに受信および送信することができる。基地局（たとえば、図１中の基地局１０２）などのネットワークエンティティからアクセス端末２００によって受信されるワイヤレス通信は、順方向リンク（またはダウンリンク）通信と呼ばれる。アクセス端末２００から基地局などのネットワークエンティティへ送られるワイヤレス通信は、逆方向リンク（またはアップリンク）通信と呼ばれる。パケットがアクセス端末２００によって受信されるとき、ワイヤレス信号は、最初に、アンテナ３０２において受信される。受信されたパケットは、低雑音増幅器（ＬＮＡ）３０４に搬送され、そこで信号が増幅される。増幅された信号は、さらなる信号および／またはパケット処理のために処理回路２０２に搬送される前に、追加の調整のために１つまたは複数のフィルタ３０６、ミキサ３０８および／または他の構成要素に搬送され得る。
【００２８】
[0035]従来のアクセス端末が接続（またはアクティブ）モードで動作するとき、アクセス端末の低雑音増幅器（ＬＮＡ）は、典型的には、その間中電源投入される。低雑音増幅器（ＬＮＡ）、ならびに他の受信機構成要素（たとえば、フィルタおよびミキサ）は、電源投入されるとかなりの量の電力を消費する。本開示の少なくとも１つの態様によれば、図２中のアクセス端末２００は、接続（またはアクティブ）モードで動作する間、アクセス端末２００によってデータが受信されない期間中に少なくとも図３に示す低雑音増幅器（ＬＮＡ）３０４を電源切断するように適応される。他の構成要素も、同じく必要に応じて電源切断され得る。
【００２９】
[0036]低雑音増幅器３０４（および受信機回路２１０の他の構成要素）への電力の調整は、接続（またはアクティブ）状態のままにある間に、ある時間期間の間にアクセス端末２００によってデータが受信されることが予想されないとの判断に基づき得る。たとえば、アクセス端末２００は、特定のスロット中にインジケータが受信されたかどうかを判断し得、ここで、インジケータは、特定のスロット中にデータが受信されることが予想されるかどうかを示すように適応される。限定ではなく例として、このインジケータは、エボリューションデータオプティマイズド（ＥＶＤＯ：Evolution-Data Optimized）規格においてプリアンブルと一般に呼ばれる送信、またはロングタームエボリューション（ＬＴＥ）規格においてダウンリンク制御情報（ＤＣＩ：downlink control information）メッセージと一般に呼ばれるメッセージの一部分を含み得る。そのようなインジケータ（たとえば、プリアンブル、ＤＣＩメッセージ）の検出は、特定のスロットまたはサブフレーム中にデータが受信されることが予想されることをアクセス端末２００に示す。
【００３０】
[0037]図４を参照すると、エボリューションデータオプティマイズド（ＥＶＤＯ）の例についてのより詳細な例が提供される。典型的には、順方向リンクＥＶＤＯ通信は、固定持続時間のスロットに分けられ得る。１６個のスロットのセットがフレームと呼ばれるグループを作り上げる。図４は、ＥＶＤＯ通信の少なくとも１つの例において、データチャネル、パイロットチャネル、および制御（ＭＡＣ）チャネルがどのように時分割多重化されるのかを示すスロットフォーマットのブロック図である。スロット４００は、概して、２０４８個のチップを含む。１回９６個のチップのパイロットバースト４０２は、スロットごとに２回送信される。各パイロットバースト４０２は、６４個のチップの２つの媒体アクセス制御（ＭＡＣ）バースト４０４によってガードされる。パイロットバースト４０２は、典型的には、自動利得制御（ＡＣＧ）としばしば呼ばれる従来のプロシージャによって図３に示した低雑音増幅器（ＬＮＡ）３０４の利得を調整するために、処理回路２０２（たとえば、電力調整モジュール３１０）によって採用される。
【００３１】
[0038]各スロット４００は、特定のアクセス端末に割り当てら得、相応して、それぞれのアクセス端末にアドレス指定され得る。このアドレス指定は、コーディングされていないＭＡＣインデックスを含むプリアンブルを採用することによって達成される。各ＥＶＤＯパケットは、データバーストのチップの初期量を占有するプリアンブルを含むことができ、一方、スロットの残りのチップがパケットデータを搬送する。プリアンブルの長さは、典型的には、データレートに従って変動する。
【００３２】
[0039]少なくとも１つの例によれば、アクセス端末２００（たとえば、電力調整動作２１２）は、インジケータ（たとえば、プリアンブル、ＤＣＩメッセージ）についてスロットを監視することと、インジケータが検出されたとき（たとえば、プリアンブルが検出されなかったとき、またはアクセス端末が後続のサブフレーム中の受信にスケジュールされていないことをＤＣＩメッセージが示すとき）低雑音増幅器（ＬＮＡ）３０４を電源切断することとを行うように適応され得る。たとえば、図５は、ＥＶＤＯスロット４００との関係で、低雑音増幅器（ＬＮＡ）３０４のアクティブ状態とパッシブ状態との間の状態を示すブロック図である。図３と図５とを参照すると、スロット４００の始めに（たとえば、スロット境界５０２において）、受信機回路２１０の低雑音増幅器（ＬＮＡ）３０４および他の構成要素は、アクティブ状態（たとえば、電源投入）である。
【００３３】
[0040]受信機回路２１０の低雑音増幅器（ＬＮＡ）３０４および他の構成要素が電源投入された状態で、処理回路２０２（たとえば、電力調整モジュール３１０）は、スロット４００についてプリアンブル５０４が受信されたかどうかを判断することができる。たとえば、処理回路２０２（たとえば、電力調整モジュール３１０）は、受信された場合、プリアンブル５０４が存在するであろう時間の長さの間にプリアンブル５０４を検出することができる。この検出期間中に、受信機回路２１０の低雑音増幅器（ＬＮＡ）３０４および他の構成要素は、５０６のＬＮＡ電力レベル図に示すように、アクティブ状態（たとえば、電源投入）のままである。プリアンブル５０４が検出された場合、受信機回路２１０の低雑音増幅器（ＬＮＡ）３０４および他の構成要素は、スロット４００の残りの間（たとえば、偶数のハーフスロット（ＨＳ）および奇数のハーフスロット中に）アクティブ状態（たとえば、電源投入）のままになることができる。この例では、プリアンブル５０４がなく、所与のデータレートについてプリアンブル５０４が典型的には存在するであろうその時間期間中にプリアンブルが検出されないと仮定される。この例では、プリアンブル５０４が存在するであろうその時間期間の終わりの近くに、推定および追跡プロシージャ５０８（たとえば、図４中のパイロットバースト４０２および２つのＭＡＣバースト４０４）が行われ得る。処理回路２０２（たとえば、電力調整モジュール３１０）は、相応して、受信機回路２１０の低雑音増幅器（ＬＮＡ）３０４と他の構成要素とをアクティブ状態（たとえば、電源投入）５０６のままにし得る。
【００３４】
[0041]プリアンブル５０４が存在するであろうその時間期間の後のある時点において、処理回路２０２（たとえば、電力調整モジュール３１０）は、プリアンブルが検出されたかどうかを判断すること５１０ができる。本例に示すように、この判断は、推定および追跡プロシージャ５０８に続き得る。５１０において、プリアンブルが検出されなかったと判断したことに応答して、処理回路２０２（たとえば、電力調整モジュール３１０）は、低雑音増幅器（ＬＮＡ）３０４の現在の電力設定（たとえば、現在の利得状態）を保存することができ、５１２において、５１４のＬＮＡ電力レベル図によって示されるように、受信機回路２１０の低雑音増幅器（ＬＮＡ）３０４と他の構成要素とをパッシブ状態（たとえば、電源切断、フル／通常電力動作から省電力状態、またはオフ）に設定することができる。
【００３５】
[0042]スロット４００の奇数ハーフスロット（ＨＳ）中に、後続の推定および追跡プロシージャ５１６がスケジュールされる。したがって、処理回路２０２（たとえば、電力調整モジュール３１０）は、５１８に示すように、ＬＮＡ電力レベル図の５２０において、受信機回路２１０の低雑音増幅器（ＬＮＡ）３０４と他の構成要素とをアクティブ状態（たとえば、電源投入）に戻すことができる。たとえば、処理回路２０２（たとえば、電力調整モジュール３１０）は、低雑音増幅器（ＬＮＡ）３０４（と受信機回路２１０の任意の他の構成要素と）を、パッシブ状態に切り替わる前に採用されていた電力設定に復元することができる。
【００３６】
[0043]低雑音増幅器（ＬＮＡ）３０４が、パッシブ状態（たとえば、電源切断またはオフ）からアクティブ状態（たとえば、電源投入）に変更されるとき、低雑音増幅器（ＬＮＡ）３０４に関連する利得変化は、位相跳躍を生じることがあり、受信機回路２１０中の直流成分は、処理回路２０２によって有用なサンプルが収集される前に取得にしばらく時間がかかり得る。低雑音増幅器（ＬＮＡ）３０４を安定させ、伝搬遅延を補償するのに十分な時間を与えるために、本開示のいくつかの例は、随意の較正期間を採用し得る。較正期間中に、受信機回路２１０の低雑音増幅器（ＬＮＡ）３０４および他の構成要素は、予想される送信（たとえば、予想される推定および追跡通信、後続のスロットの始め）のための予想されるサンプル収集より前に所定の時間期間の間にアクティブ状態（たとえば、電源投入）に設定され得る。データ受信の前にそのような構成要素を電源投入することにより、間断なくデータ通信を行うことが可能になる。
【００３７】
[0044]いくつかの例では、低雑音増幅器（ＬＮＡ）３０４をパッシブ状態からアクティブ状態に変更することから生じる受信機回路２１０中でのこれらの影響の補償は、有意な遅延期間なしに処理回路２０２によって行われ得る。たとえば、位相跳躍および／または直流成分の変化について以前に取得された値は、低雑音増幅器（ＬＮＡ）３０４がパッシブ状態からアクティブ状態に切り替えられたときに位相跳躍および／または直流成分の変更を補償する（たとえば、無視する、フィルタ除去する）ために処理回路２０２によって採用され得る。
【００３８】
[0045]受信機回路２１０の低雑音増幅器（ＬＮＡ）３０４および他の構成要素がアクティブ状態（たとえば、電源投入）にあると、アクセス端末２００は、推定および追跡通信を取得し、処理することができる。推定および追跡プロシージャ５１６に続いて、処理回路２０２（たとえば、電力調整モジュール３１０）は、５２２において、ＬＮＡ電力レベル図の５２４に示すように、受信機回路２１０の低雑音増幅器（ＬＮＡ）３０４と他の構成要素とをパッシブ状態に戻す。スロット４００の終わりまたはその近くにおいて、ワイヤレスデバイスは、次のスロット中でプリアンブルを検出するために、５２６において、ＬＮＡ電力レベル図の５２８に示すように、受信機回路２１０の低雑音増幅器（ＬＮＡ）３０４と他の構成要素とをアクティブ状態（たとえば、電源投入）に戻すことができる。したがって、後続のスロットについて、処理回路２０２は、上記で説明したのと同様のステップを実行することができる。
【００３９】
[0046]本開示の追加の態様は、アクセス端末上で動作可能な方法を含む。図６は、少なくとも１つの例による、アクセス端末２００などのアクセス端末上で動作可能な方法を示す流れ図である。図２と、図３と、図６とを参照すると、アクセス端末２００は、ステップ６０２において、受信されたワイヤレス通信を監視し得る。たとえば、電力調整動作２０８を実行する処理回路２０２（たとえば、電力調整モジュール３１０）は、任意の受信されたワイヤレス通信について受信機回路２１０を監視し得る。
【００４０】
[0047]ステップ６０４において、アクセス端末２００は、アクセス端末２００が接続モードで動作している間に、ある時間期間の間にデータが受信されることが予想されないと判断することができる。たとえば、電力調整動作２０８を実行する処理回路２０２（たとえば、電力調整モジュール３１０）は、その時間期間の間にデータが受信されることが予想されないことを示すインジケータを検出し得る。
【００４１】
[0048]少なくとも１つの例では、インジケータは、受信スロット中にプリアンブルが受信されないことを処理回路２０２（たとえば、電力調整モジュール３１０）に通知する検出または判断を含み得る。たとえば、電力調整動作２０８は、図７の流れ図によって示されるステップを実行することを処理回路２０２（たとえば、電力調整モジュール３１０）に行わせるように適応され得る。すなわち、電力調整動作２０８は、ステップ７０２において、プリアンブルについてスロットを監視することを処理回路２０２（たとえば、電力調整モジュール３１０）に行わせるように適応され得る。ステップ７０４において、現在のスロット中でプリアンブルが受信されたかどうかの判断が行われる。プリアンブルが受信されない場合、電力調整動作２０８は、図６中のステップ６０６に進むことを処理回路２０２（たとえば、電力調整モジュール３１０）に行わせ得る。一方、プリアンブルが受信される場合、電力調整動作２０８は、ステップ７０６において、データを受信することを、従来の電力方式の下で続ける（たとえば、低雑音増幅器（ＬＮＡ）３０４をアクティブ状態に保持する）ことを処理回路２０２（たとえば、電力調整モジュール３１０）に行わせ得る。
【００４２】
[0049]少なくとも１つの他の例では、インジケータは、その時間期間の間にデータが受信されることが予想されないという（たとえば、後続のサブフレームがアクセス端末２００にスケジュールされないという）指示を含む、受信されたダウンリンク制御情報（ＤＣＩ）メッセージを含み得る。たとえば、電力調整動作２０８は、図８の流れ図によって示されるステップを実行することを処理回路２０２（たとえば、電力調整モジュール３１０）に行わせるように適応され得る。すなわち、電力調整動作２０８は、ステップ８０２において、通信インターフェース２０６を介して、１つまたは複数のＤＣＩメッセージを含む１つまたは複数のＯＦＤＭシンボルを受信することを処理回路２０２（たとえば、電力調整モジュール３１０）に行わせるように適応され得る。ステップ８０４において、後続のサブフレーム中でデータを受信するようにアクセス端末２００がスケジュールされたことを、受信されたＤＣＩメッセージが示すかどうかの判断が行われる。サブフレームがアクセス端末２００にスケジュールされない場合、電力調整動作２０８は、図６中のステップ６０６に進むことを処理回路２０２（たとえば、電力調整モジュール３１０）に行わせ得る。一方、サブフレームがアクセス端末２００にスケジュールされる場合、電力調整動作２０８は、ステップ８０６において、通信を受信することを、従来の電力方式の下で続ける（たとえば、低雑音増幅器（ＬＮＡ）３０４をアクティブ状態に保持する）ことを処理回路２０２（たとえば、電力調整モジュール３１０）に行わせ得る。
【００４３】
[0050]図２と、図３と、図６とに再び戻ると、ステップ６０４において、ある時間期間の間にデータが受信されることが予想されないと判断されたとき、アクセス端末２００は、その時間期間の少なくとも一部分の間に低雑音増幅器（ＬＮＡ）３０４をパッシブ状態に設定することができる。たとえば、電力調整動作２０８を実行する処理回路２０２（たとえば、電力調整モジュール３１０）は、ステップ６０４における判断に応答して、その時間期間の少なくとも一部分の間に低雑音増幅器（ＬＮＡ）３０４を電源切断し得る。すなわち、処理回路２０２（たとえば、電力調整モジュール３１０）は、低雑音増幅器（ＬＮＡ）３０４への電力を低減するか、さらにはオフに切り替えるために電力調整器を採用し得る。いくつかの事例では、電力調整動作２０８を実行する処理回路２０２（たとえば、電力調整モジュール３１０）はまた、受信機回路２１０の１つまたは複数の他の構成要素（たとえば、１つまたは複数のフィルタ３０６、１つまたは複数のミキサ３０８）をパッシブ状態に設定し得る。いくつかの実装形態では、電力調整動作２０８を実行する処理回路２０２（たとえば、電力調整モジュール３１０）は、低雑音増幅器（ＬＮＡ）３０４をパッシブ状態に設定する前に、アクティブ状態にある低雑音増幅器（ＬＮＡ）３０４に関連する１つまたは複数のパラメータ（たとえば、利得設定）を記憶し得る。そのようなパラメータは、記憶媒体２０４中に記憶され得る。
【００４４】
[0051]低雑音増幅器（ＬＮＡ）３０４がパッシブ状態に設定された後のある時点において、アクセス端末２００は、１つまたは複数の送信を予想し得る。たとえば、スケジュールされた推定および追跡送信が予想され得、新しいスロットが予想され得、かつ／または何らかの他の通信が予想され得る。したがって、アクセス端末２００は、ステップ６０８において、予想される送信のために低雑音増幅器（ＬＮＡ）３０４をアクティブ状態に設定し得る。たとえば、電力調整動作２０８を実行する処理回路２０２（たとえば、電力調整モジュール３１０）は、低雑音増幅器（ＬＮＡ）３０４を電源投入し得る。
【００４５】
[0052]少なくともいくつかの事例では、電力調整動作２０８を実行する処理回路２０２（たとえば、電力調整モジュール３１０）は、予想される送信の前に所定の時間期間に低雑音増幅器（ＬＮＡ）３０４をアクティブ状態に設定し得る。この所定の時間期間（たとえば、あらかじめ定義された較正期間）は、低雑音増幅器（ＬＮＡ）３０４を安定させることが可能になるのに十分になるように選択され得、したがって、処理回路２０２（たとえば、電力調整モジュール３１０）は、低雑音増幅器（ＬＮＡ）３０４をパッシブ状態からアクティブ状態に変更することから生じる位相跳躍、直流成分、伝搬遅延、および／または他の問題を補償することができる。
【００４６】
[0053]１つまたは複数の事例では、電力調整動作２０８を実行する処理回路２０２（たとえば、電力調整モジュール３１０）は、有意な遅延期間なしに低雑音増幅器（ＬＮＡ）３０４をパッシブ状態からアクティブ状態に変更することから生じる、受信機回路２１０中での効果を克服し得る。たとえば、電力調整動作２０８を実行する処理回路２０２（たとえば、電力調整モジュール３１０）は、低雑音増幅器（ＬＮＡ）３０４のパッシブ状態からアクティブ状態への１つまたは複数の前の切替え中に行われ得る位相跳躍、直流の変化、および／または他の影響の値を取得し得る。これらの１つまたは複数の値は記憶媒体２０４中に記憶され得る。（１つまたは複数の）前に取得された値を採用することによって、電力調整動作２０８を実行する処理回路２０２（たとえば、電力調整モジュール３１０）は、低雑音増幅器（ＬＮＡ）３０４をパッシブ状態からアクティブ状態に変更することの効果を補償する（たとえば、無視する、フィルタ除去する）ことを行い得る。
【００４７】
[0054]本開示の特徴または態様のうちの１つまたは複数を採用することによって、アクセス端末は、電力消費量を低減し得る。電力消費量のそのような低減は、そのようなアクセス端末の動作寿命を延長し得る。
【００４８】
[0055]上記で説明した態様、構成、および実施形態について具体的な詳細および委細とともに説明したが、図１、図２、図３、図４、図５、図６、図７、および／または図８に示した構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本発明から逸脱することなく追加の要素、構成要素、ステップ、および／または機能が追加され得る、または利用され得ない。図１、図２および／または図３に示した装置、デバイスおよび／または構成要素は、図４、図５、図６、図７および／または図８で説明した方法、特徴、パラメータ、またはステップのうちの１つまたは複数を実行または採用するように構成され得る。本明細書で説明した新規のアルゴリズムはまた、効率的にソフトウェアで実装されおよび／またはハードウェアに組み込まれ得る。
【００４９】
[0056]また、少なくともいくつかの実装形態について、フローチャート、流れ図、構造図、またはブロック図として示されたプロセスとして説明したことに留意されたい。フローチャートは動作を逐次プロセスとして説明することがあるが、動作の多くは並行してまたは同時に実行され得る。さらに、動作の順序は並び替えられ得る。プロセスは、それの動作が完了したときに終了する。プロセスは、方法、関数、プロシージャ、サブルーチン、サブプログラムなどに対応し得る。プロセスが関数に対応するとき、それの終了は、呼出し関数またはメイン関数への関数の復帰に対応する。本明細書で説明する様々な方法は、機械可読、コンピュータ可読、および／またはプロセッサ可読記憶媒体に記憶され、１つまたは複数のプロセッサ、機械および／またはデバイスによって実行され得るプログラミング（たとえば、命令および／またはデータ）によって部分的にまたは完全に実装され得る。
【００５０】
[0057]さらに、本明細書で開示する実施形態に関連して説明した様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることを、当業者は諒解されよう。この互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課せられた設計制約に依存する。
【００５１】
[0058]本明細書で説明する添付の図面に示した例に関連する様々な特徴は、本開示の範囲から逸脱することなく、異なる例および実装形態に実装され得る。したがって、ある特定の構成および配置について説明し、添付の図面に示したが、説明した実施形態への様々な他の追加、変更、および削除は当業者には明らかであるので、そのような実施形態は例示的にすぎず、開示の範囲を限定するものではない。したがって、本開示の範囲は、以下の請求項の文字通りの言語、および法的均等物によってのみ決定される。
【図１】
2016503973.tif 000003
【図２】
2016503973.tif 000004
【図３】
2016503973.tif 000005
【図４】
2016503973.tif 000006
【図５】
2016503973.tif 000007
【図６】
2016503973.tif 000008
【図７】
2016503973.tif 000009
【図８】
2016503973.tif 000010
【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
受信機回路を含む通信インターフェースと、
記憶媒体と、
前記通信インターフェースと前記記憶媒体とに結合された処理回路であって、
接続モードで動作するとき、プリアンブルがスロットの間受信されないと判断することと、
前記判断に応答して前記スロットの少なくとも一部分の間に前記受信機回路の低雑音増幅器（ＬＮＡ）を電源切断することと
を行うように適応された処理回路と
を備える、アクセス端末。
【請求項２】
前記処理回路が、前記判断に応答して前記スロットの少なくとも一部分の間に１つまたは複数の他の受信機回路構成要素を電源切断することを行うようにさらに適応され、前記１つまたは複数の受信機回路構成要素が、少なくとも１つのフィルタと少なくとも１つのミキサとを備える１つまたは複数の受信機回路構成要素から選択される、請求項１に記載のアクセス端末。
【請求項３】
前記処理回路が、予想される送信の受信の前に前記低雑音増幅器（ＬＮＡ）あらかじめ定義された較正期間を電源投入することを行うようにさらに適応された、請求項１に記載のアクセス端末。
【請求項４】
前記処理回路が、前記低雑音増幅器（ＬＮＡ）を電源投入することと、前記低雑音増幅器（ＬＮＡ）が電源投入されたときに生じる効果を補償することとを行うようにさらに適応された、請求項１に記載のアクセス端末。
【請求項５】
アクセス端末において動作可能な方法であって、
受信されたワイヤレス通信について監視することと、
接続モードで動作するとき、プリアンブルがスロットの間受信されないと判断することと、
前記判断に応答して前記スロットの少なくとも一部分の間に受信機回路の低雑音増幅器（ＬＮＡ）をパッシブ状態に設定することと
を備える、方法。
【請求項６】
前記判断に応答して前記スロットの少なくとも一部分の間に前記受信機回路の１つまたは複数の他の構成要素をパッシブ状態に設定することをさらに備え、ここにおいて、前記１つまたは複数の他の構成要素が、少なくとも１つのフィルタと少なくとも１つのミキサとを備える構成要素のグループから選択された１つまたは複数の構成要素を含む、請求項５に記載の方法。
【請求項７】
予想される送信のために前記低雑音増幅器（ＬＮＡ）をアクティブ状態に設定することをさらに備える、請求項５に記載の方法。
【請求項８】
予想される送信のために前記低雑音増幅器（ＬＮＡ）をアクティブ状態に設定することが、前記予想される送信の前に前記低雑音増幅器（ＬＮＡ）を前記アクティブ状態所定の時間期間に設定することを備え、ここにおいて、前記所定の時間期間は、前記パッシブ状態から前記アクティブ状態に切り替わった後に前記低雑音増幅器（ＬＮＡ）を安定させるのを可能にするのに十分である、請求項７に記載の方法。
【請求項９】
予想される送信のために前記低雑音増幅器（ＬＮＡ）をアクティブ状態に設定することは、前記低雑音増幅器（ＬＮＡ）を前記パッシブ状態から前記アクティブ状態に切り替えることから生じる効果を補償するためのフィルタを採用することを備える、請求項７に記載の方法。
【請求項１０】
受信されたワイヤレス通信について監視するための手段と、
接続モードで動作するとき、プリアンブルがスロットの間受信されないと判断するための手段と、
前記判断に応答して前記スロットの少なくとも一部分の間に受信機回路の低雑音増幅器（ＬＮＡ）をパッシブ状態に設定するための手段と
を備える、アクセス端末。
【請求項１１】
前記判断に応答して前記スロットの少なくとも一部分の間に前記受信機回路の１つまたは複数の他の構成要素をパッシブ状態に設定するための手段をさらに備え、ここにおいて、前記１つまたは複数の他の構成要素が、少なくとも１つのフィルタと少なくとも１つのミキサとを備える構成要素のグループから選択された１つまたは複数の構成要素を含む、請求項１０に記載のアクセス端末。
【請求項１２】
予想される送信のために前記低雑音増幅器（ＬＮＡ）を前記パッシブ状態からアクティブ状態に切り替えるための手段をさらに備える、請求項１０に記載のアクセス端末。
【請求項１３】
コンピュータに、
接続モードで、受信されたワイヤレス通信について監視することと、
プリアンブルがスロットの間受信されないと判断することと、
前記判断に応答して前記スロットの少なくとも一部分の間に前記接続モードにある間に、受信機回路の低雑音増幅器（ＬＮＡ）を電源切断することと
を行わせるためのプログラミングを備える、コンピュータ可読記憶媒体。
【請求項１４】
コンピュータに、前記判断に応答して前記スロットの少なくとも一部分の間に少なくとも１つの他の受信機回路構成要素を電源切断することを行わせるためのプログラミングをさらに備え、ここにおいて、前記少なくとも１つの他の受信機回路構成要素が、少なくとも１つのフィルタと少なくとも１つのミキサとを備える受信機回路構成要素のグループから選択された１つまたは複数の構成要素を含む、請求項１３に記載のコンピュータ可読記憶媒体。
【請求項１５】
コンピュータに、予想される送信のために前記低雑音増幅器（ＬＮＡ）を電源投入することを行わせるためのプログラミングをさらに備える、請求項１３に記載のコンピュータ可読記憶媒体。
【請求項１６】
コンピュータに、予想される送信のために前記低雑音増幅器（ＬＮＡ）を電源投入することを行わせることが、コンピュータに、前記予想される送信の前に前記低雑音増幅器（ＬＮＡ）所定の時間期間を電源投入することを行わせることを備える、請求項１５に記載のコンピュータ可読記憶媒体。
【請求項１７】
コンピュータに、予想される送信のために前記低雑音増幅器（ＬＮＡ）を電源投入することを行わせることが、コンピュータに、前記低雑音増幅器（ＬＮＡ）を電源投入することと、前記低雑音増幅器（ＬＮＡ）が電源投入されたときに生じる効果を補償することとを行わせることを備える、請求項１５に記載のコンピュータ可読記憶媒体。
【請求項１８】
ワイヤレス通信信号を受信するように構成されたアンテナと、
前記アンテナに動作可能に結合されたプロセッサと、前記プロセッサは、ある時間期間の間に将来の信号中にデータが存在することが予想されることを示すスロットの間のプリアンブルの存在を判断するために受信されたワイヤレス通信信号を分析するように構成され、前記分析に基づいて、前記プロセッサは、前記プリアンブルの存在が検出されないとき、電力節約ワイヤレス通信デバイス中に存在する１つまたは複数の構成要素を電源切断するようにさらに構成された、
を備える、電力節約ワイヤレス通信デバイス。
【請求項１９】
前記プロセッサは、動作電力パラメータがメモリに記憶され得るように、前記１つまたは複数の構成要素を電源切断する前に前記電力パラメータを取得するようにさらに構成された、請求項１８に記載のデバイス。
【請求項２０】
前記プロセッサは、前記プロセッサが将来のワイヤレス信号中にデータを予想するとき、較正期間中に前記１つまたは複数の電源切断済み構成要素を電源投入するようにさらに構成された、請求項１８に記載のデバイス。
【請求項２１】
前記較正期間が所定の時間量に設定される、請求項２０に記載のデバイス。
【手続補正２】
【補正対象書類名】明細書
【補正対象項目名】００５１
【補正方法】変更
【補正の内容】
【００５１】
[0058]本明細書で説明する添付の図面に示した例に関連する様々な特徴は、本開示の範囲から逸脱することなく、異なる例および実装形態に実装され得る。したがって、ある特定の構成および配置について説明し、添付の図面に示したが、説明した実施形態への様々な他の追加、変更、および削除は当業者には明らかであるので、そのような実施形態は例示的にすぎず、開示の範囲を限定するものではない。したがって、本開示の範囲は、以下の請求項の文字通りの言語、および法的均等物によってのみ決定される。
以下に、本願出願の当初の特許請求の範囲に記載された発明を付記する。
［Ｃ１］  受信機回路を含む通信インターフェースと、
記憶媒体と、
前記通信インターフェースと前記記憶媒体とに結合された処理回路であって、
接続モードで動作するとき、ある時間期間の間にデータが受信されることが予想されないと判断することと、
前記判断に応答して前記時間期間の少なくとも一部分の間に前記受信機回路の低雑音増幅器（ＬＮＡ）を電源切断することと
を行うように適応された処理回路と
を備える、アクセス端末。
［Ｃ２］  ある時間期間の間にデータが受信されることが予想されないと判断することを行うように適応された前記処理回路が、前記時間期間の間にデータが受信されることが予想されないことを示すインジケータを検出することを行うように適応された前記処理回路を備える、Ｃ１に記載のアクセス端末。
［Ｃ３］  前記インジケータが、スロット中にプリアンブルが受信されないことの検出を備える、Ｃ２に記載のアクセス端末。
［Ｃ４］  前記インジケータが、前記時間期間の間にデータが受信されることが予想されないという指示を含むダウンリンク制御情報（ＤＣＩ）メッセージを備える、Ｃ２に記載のアクセス端末。
［Ｃ５］  前記処理回路が、前記判断に応答して前記時間期間の間に１つまたは複数の他の受信機回路構成要素を電源切断することを行うようにさらに適応され、前記１つまたは複数の受信機回路構成要素が、少なくとも１つのフィルタと少なくとも１つのミキサとを備える１つまたは複数の受信機回路構成要素から選択される、Ｃ１に記載のアクセス端末。
［Ｃ６］  前記処理回路が、予想される送信の受信の前に前記低雑音増幅器（ＬＮＡ）あらかじめ定義された較正期間を電源投入することを行うようにさらに適応された、Ｃ１に記載のアクセス端末。
［Ｃ７］  前記処理回路が、前記低雑音増幅器（ＬＮＡ）を電源投入することと、前記低雑音増幅器（ＬＮＡ）が電源投入されたときに生じる効果を補償することとを行うようにさらに適応された、Ｃ１に記載のアクセス端末。
［Ｃ８］  アクセス端末において動作可能な方法であって、
受信されたワイヤレス通信について監視することと、
接続モードで動作するとき、ある時間期間の間にデータが受信されることが予想されないと判断することと、
前記判断に応答して前記時間期間の少なくとも一部分の間に受信機回路の低雑音増幅器（ＬＮＡ）をパッシブ状態に設定することと
を備える、方法。
［Ｃ９］  前記時間期間の間にデータが受信されることが予想されないと判断することが、スロット中にプリアンブルが受信されないと判断することを備える、Ｃ８に記載の方法。
［Ｃ１０］  前記時間期間の間にデータが受信されることが予想されないと判断することが、ダウンリンク制御情報（ＤＣＩ）メッセージから、前記時間期間の間にデータが受信されることが予想されないと判断することを備える、Ｃ８に記載の方法。
［Ｃ１１］  前記判断に応答して前記時間期間の間に前記受信機回路の１つまたは複数の他の構成要素をパッシブ状態に設定することをさらに備え、ここにおいて、前記１つまたは複数の他の構成要素が、少なくとも１つのフィルタと少なくとも１つのミキサとを備える構成要素のグループから選択された１つまたは複数の構成要素を含む、Ｃ８に記載の方法。
［Ｃ１２］  予想される送信のために前記低雑音増幅器（ＬＮＡ）をアクティブ状態に設定することをさらに備える、Ｃ８に記載の方法。
［Ｃ１３］  予想される送信のために前記低雑音増幅器（ＬＮＡ）をアクティブ状態に設定することが、前記予想される送信の前に前記低雑音増幅器（ＬＮＡ）を前記アクティブ状態所定の時間期間に設定することを備え、ここにおいて、前記所定の時間期間は、前記パッシブ状態から前記アクティブ状態に切り替わった後に前記低雑音増幅器（ＬＮＡ）を安定させるのを可能にするのに十分である、Ｃ１２に記載の方法。
［Ｃ１４］  予想される送信のために前記低雑音増幅器（ＬＮＡ）をアクティブ状態に設定することは、前記低雑音増幅器（ＬＮＡ）を前記パッシブ状態から前記アクティブ状態に切り替えることから生じる効果を補償するためのフィルタを採用することを備える、Ｃ１２に記載の方法。
［Ｃ１５］  受信されたワイヤレス通信について監視するための手段と、
接続モードで動作するとき、ある時間期間の間にデータが受信されることが予想されないと判断するための手段と、
前記判断に応答して前記時間期間の少なくとも一部分の間に受信機回路の低雑音増幅器（ＬＮＡ）をパッシブ状態に設定するための手段と
を備える、アクセス端末。
［Ｃ１６］  前記判断に応答して前記時間期間の間に前記受信機回路の１つまたは複数の他の構成要素をパッシブ状態に設定するための手段をさらに備え、ここにおいて、前記１つまたは複数の他の構成要素が、少なくとも１つのフィルタと少なくとも１つのミキサとを備える構成要素のグループから選択された１つまたは複数の構成要素を含む、Ｃ１５に記載のアクセス端末。
［Ｃ１７］  予想される送信のために前記低雑音増幅器（ＬＮＡ）を前記パッシブ状態からアクティブ状態に切り替えるための手段をさらに備える、Ｃ１５に記載のアクセス端末。
［Ｃ１８］  コンピュータに、
接続モードで、受信されたワイヤレス通信について監視することと、
ある時間期間の間にデータが受信されることが予想されないと判断することと、
前記判断に応答して前記時間期間の少なくとも一部分の間に前記接続モードにある間に、受信機回路の低雑音増幅器（ＬＮＡ）を電源切断することと
を行わせるためのプログラミングを備える、コンピュータ可読記憶媒体。
［Ｃ１９］  コンピュータに、前記時間期間の間にデータが受信されることが予想されないと判断することを行わせることが、コンピュータに、前記時間期間の間にデータが受信されることが予想されないことを示すインジケータを検出することを行わせることを備える、Ｃ１８に記載のコンピュータ可読記憶媒体。
［Ｃ２０］  コンピュータに、前記インジケータを検出することを行わせることが、コンピュータに、スロット中にプリアンブルが受信されないことを検出することを行わせることを備える、Ｃ１９に記載のコンピュータ可読記憶媒体。
［Ｃ２１］  コンピュータに、前記インジケータを検出することを行わせることが、コンピュータに、前記時間期間の間にデータが受信されることが予想されないという指示を含むダウンリンク制御情報（ＤＣＩ）メッセージを検出することを行わせることを備える、Ｃ１９に記載のコンピュータ可読記憶媒体。
［Ｃ２２］  コンピュータに、前記判断に応答して前記時間期間の間に少なくとも１つの他の受信機回路構成要素を電源切断することを行わせるためのプログラミングをさらに備え、ここにおいて、前記少なくとも１つの他の受信機回路構成要素が、少なくとも１つのフィルタと少なくとも１つのミキサとを備える受信機回路構成要素のグループから選択された１つまたは複数の構成要素を含む、Ｃ１８に記載のコンピュータ可読記憶媒体。
［Ｃ２３］  コンピュータに、予想される送信のために前記低雑音増幅器（ＬＮＡ）を電源投入することを行わせるためのプログラミングをさらに備える、Ｃ１８に記載のコンピュータ可読記憶媒体。
［Ｃ２４］  コンピュータに、予想される送信のために前記低雑音増幅器（ＬＮＡ）を電源投入することを行わせることが、コンピュータに、前記予想される送信の前に前記低雑音増幅器（ＬＮＡ）所定の時間期間を電源投入することを行わせることを備える、Ｃ２３に記載のコンピュータ可読記憶媒体。
［Ｃ２５］  コンピュータに、予想される送信のために前記低雑音増幅器（ＬＮＡ）を電源投入することを行わせることが、コンピュータに、前記低雑音増幅器（ＬＮＡ）を電源投入することと、前記低雑音増幅器（ＬＮＡ）が電源投入されたときに生じる効果を補償することとを行わせることを備える、Ｃ２３に記載のコンピュータ可読記憶媒体。
［Ｃ２６］  ワイヤレス通信信号を受信するように構成されたアンテナと、
前記アンテナに動作可能に結合されたプロセッサと、前記プロセッサは、ある時間期間の間に将来の信号中にデータが存在することが予想されることを示すインジケータの存在を判断するために受信されたワイヤレス通信信号を分析するように構成され、前記分析に基づいて、前記プロセッサは、前記インジケータの存在が検出されたとき、電力節約ワイヤレス通信デバイス中に存在する１つまたは複数の構成要素を電源切断するようにさらに構成された、
を備える、電力節約ワイヤレス通信デバイス。
［Ｃ２７］  前記プロセッサは、動作電力パラメータがメモリに記憶され得るように、前記１つまたは複数の構成要素を電源切断する前に前記電力パラメータを取得するようにさらに構成された、Ｃ２６に記載のデバイス。
［Ｃ２８］  前記プロセッサは、前記インジケータがプリアンブル部分中に存在するかどうかを判断するために、ワイヤレス信号の前記プリアンブルを分析する、Ｃ２６に記載のデバイス。
［Ｃ２９］  前記プロセッサは、前記プロセッサが将来のワイヤレス信号中にデータを予想するとき、較正期間中に前記１つまたは複数の電源切断済み構成要素を電源投入するようにさらに構成された、Ｃ２６に記載のデバイス。
［Ｃ３０］  前記較正期間が所定の時間量に設定される、Ｃ２９に記載のデバイス。
【国際調査報告】
2016503973.tif 000011
2016503973.tif 000012
2016503973.tif 000013